(57)【要約】【課題】摺動式スクリーン装置における障子側の桟の折返しボックス内への脱出を抑止するための手段の簡素化と、その製造コスト及び組み付けコストの低廉化を図る。【解決手段】摺動式スクリーン装置における巻き掛け部材２０を収容する前面を開放可能な折返しボックス２１の長手方向両端に、スクリーン７の巻き掛け部材２０の支持用突部２４ａを備えた支持体２４を配設し、巻き掛け部材の長手方向両端の係着部２０ｂを支持用突部２４ａに係合支持させる。巻き掛け部材２０におけるスクリーン７の巻き掛け部２０ａの下方に、外側のガイド枠１０にガイドされる外桟２２が上動時に当接して折返しボックス２１内へ脱出するのを抑止する脱出抑止部２０ｃを設ける。【選択図】図１
2010203068.tif 000002
【特許請求の範囲】
【請求項１】
建物開口部枠に取り付ける窓用サッシの障子装設位置よりも室内側の開口部に左右相対向して取付けられる一対のガイド枠、該一対のガイド枠間の上部に設けられ、スクリーンを巻き掛けて上記ガイド枠に沿う方向に折り返させる巻き掛け部材、該巻き掛け部材を収容するためのスクリーンの折返しボックス、上記開口部に張設可能な長さを有するスクリーンの摺動方向の両端に桟が固定されたスクリーンユニット、及び上記ガイド枠に設けられ、スクリーンの両端に設けた桟の摺動を個別的にガイドする隣接配置された各２条の平行な桟ガイドを備えた摺動式スクリーン装置において、
前面を開放可能にした上記折返しボックスの長手方向両端に、上記スクリーンの巻き掛け部材の支持用突部を備えた支持体を配設し、上記巻き掛け部材の長手方向両端に、該支持用突部に対して上記折返しボックスの開放可能な前面側から係脱可能に形成した係着部を設け、
上記巻き掛け部材におけるスクリーンの巻き掛け部の下方の係着部に、外側のガイド枠にガイドされる障子側の桟が上動時に当接して折返しボックス内へ脱出するのを抑止する脱出抑止部を形成した、
ことを特徴とする摺動式スクリーン装置。
【請求項２】
上記巻き掛け部材の支持体に設けた支持用突部を、略矩形状の断面を有するものとして突設し、
上記巻き掛け部材を、略半円筒形のスクリーンの巻き掛け部の下方に上記支持用突部に嵌着する略コ字状の係着部を設けることにより形成した、
ことを特徴とする請求項１に記載の摺動式スクリーン装置。
【請求項３】
上記巻き掛け部材の支持体に設けた支持用突部を、上記巻き掛け部材の内側面に沿う略半円筒状で障子側端に下方に垂下する部分を有し、両端に係止縁を設けたものとして形成し、
上記巻き掛け部材を、略半円筒形のスクリーンの巻き掛け部における上記支持用突部の両端の係止縁に対応する部位に、該係止縁に係止する係止部を形成して上記係着部を構成させるとともに、該巻き掛け部における障子側端の下方に垂下する部分により脱出抑止部が形成されたものとし、
上記巻き掛け部材を、上記支持用突部における係止縁に該巻き掛け部材の係止部を係止させることにより、該支持用突部に支持させた、
ことを特徴とする請求項１に記載の摺動式スクリーン装置。
【請求項４】
上記巻き掛け部材の脱出抑止部の下端と上記障子側の桟をガイドするガイド枠の桟ガイドとの間の寸法が、上記障子側の桟の高さ寸法よりも短く形成されている、
ことを特徴とする請求項１〜３のいずれかに記載の摺動式スクリーン装置。
【発明の詳細な説明】
【技術分野】
【０００１】
本発明は、窓用サッシの室内側の開口部に取付ける摺動式スクリーン装置に関するものであり、更に具体的には、左右一対のガイド枠間の上部に設けられた巻き掛け部材にスクリーンを巻き掛けて、上記ガイド枠に沿う方向に折り返させるようにしたスクリーン装置の改良に関するものである。
【背景技術】
【０００２】
特許文献１において開示されているように、障子が室の外側に開く外開き窓、辷り出し窓等において、防虫用の網戸等として、障子の開閉に支障のない窓用サッシの室内側に取り付けられる摺動式スクリーン装置が既に知られている。該摺動式スクリーン装置においては、窓用サッシの障子装設位置よりも室内側の開口部に、左右相対向して一対のガイド枠が取付けられ、該一対のガイド枠間の上部に、スクリーンを摺動自在に巻き掛けて上記ガイド枠に沿う方向に折り返させる巻き掛け部材が、それをスクリーンの折返しボックスに収容して設けられ、上記開口部に張設可能な長さを有する上記スクリーンの摺動方向の両端に、上記ガイド枠でガイドされる桟が固定され、スクリーンの張設時には、室内側の桟（以下、内桟という。）を最下位に位置させ、スクリーンの非張設時には両桟をガイド枠の長さ方向の中央部付近において会合させるように形成している。
【０００３】
上述した摺動式スクリーン装置では、図１３に示すように、内桟２３を降下させるとき、外側のガイド枠１０にガイドされる障子側の桟２２（以下、外桟という。）が勢いよく上昇して、折返しボックス２１内へ脱出する（吸い込まれる）のを抑止するため、該外桟２２に折返しボックス２１に衝当するクリップ状の脱出抑止部材５０を取り付けているが、この脱出抑止部材５０の取り付けは、ガイド枠１０の上端から外桟２２を嵌挿した後に行う必要があるので、その装着のために狭い開口部から室外側に手を伸ばし無理な体勢でこの脱出抑止部材５０を装着しなければならず、その作業には熟練を要し、必ずしもユーザー自身が容易に組み付け作業をすることができるものではなかった。
【０００４】
一方、外桟２２がガイド枠１０の上端から折返しボックス２１内へ脱出するのを抑制するためには、該脱出を防止できるように折返しボックス２１を形成すればよいが、それはガイド枠１０の上端から外桟２２を嵌挿する組み付け作業を煩雑化するものであり、そのため、折返しボックス２１は該ガイド枠１０の上端を開放し、スクリーン７の巻き掛け部材２０を着脱自在にし、上記組み付け作業を容易化しておくことが必要になり、このことから、折返しボックス２１内への外桟２２の脱出を抑制する手段（脱出抑止部材５０）を組み付け時に取り付ける必要がある。そのため、該脱出抑止部材５０自体の製造コスト及びその組み付けコストも無視できず、上記外桟２２の折返しボックス２１内への脱出を抑止するための手段の簡素化と、その製造コスト及び組み付けコストの低廉化が求められている。
【先行技術文献】
【特許文献】
【０００５】
【特許文献１】特許第３４８４６９９号公報
【発明の概要】
【発明が解決しようとする課題】
【０００６】
本発明の技術的課題は、摺動式スクリーン装置における障子側の桟（外桟）の折返しボックス内への脱出を抑止するための手段の簡素化と、その製造コスト及び組み付けコストの低廉化を図ることにある。
本発明の他の技術的課題は、上記既知の脱出抑止部材の装着の必要性をなくし、組み付けを簡易に行えるようにした摺動式スクリーン装置を提供することにある。
【課題を解決するための手段】
【０００７】
上記課題を解決するため、本発明によれば、建物開口部枠に取り付ける窓用サッシの障子装設位置よりも室内側の開口部に左右相対向して取付けられる一対のガイド枠、該一対のガイド枠間の上部に設けられ、スクリーンを巻き掛けて上記ガイド枠に沿う方向に折り返させる巻き掛け部材、該巻き掛け部材を収容するためのスクリーンの折返しボックス、上記開口部に張設可能な長さを有するスクリーンの摺動方向の両端に桟が固定されたスクリーンユニット、及び上記ガイド枠に設けられ、スクリーンの両端に設けた桟の摺動を個別的にガイドする隣接配置された各２条の平行な桟ガイドを備えた摺動式スクリーン装置において、前面を開放可能にした上記折返しボックスの長手方向両端に、上記スクリーンの巻き掛け部材の支持用突部を備えた支持体を配設し、上記巻き掛け部材の長手方向両端に、該支持用突部に対して上記折返しボックスの開放可能な前面側から係脱可能に形成した係着部を設け、上記巻き掛け部材におけるスクリーンの巻き掛け部の下方の係着部に、外側のガイド枠にガイドされる障子側の桟が上動時に当接して折返しボックス内へ脱出するのを抑止する脱出抑止部を形成したことを特徴とする摺動式スクリーン装置が提供される。
【０００８】
本発明に係る摺動式スクリーン装置の好ましい実施形態においては、上記巻き掛け部材の支持体に設けた支持用突部を、略矩形状の断面を有するものとして突設し、上記巻き掛け部材を、略半円筒形のスクリーンの巻き掛け部の下方に上記支持用突部に嵌着する略コ字状の係着部を設けることにより形成される。
【０００９】
また、本発明の他の好ましい実施形態においては、上記巻き掛け部材の支持体に設けた支持用突部を、上記巻き掛け部材の内側面に沿う略半円筒状で障子側端に下方に垂下する部分を有し、両端に係止縁を設けたものとして形成し、上記巻き掛け部材を、略半円筒形のスクリーンの巻き掛け部における上記支持用突部の両端の係止縁に対応する部位に、該係止縁に係止する係止部を形成して上記係着部を構成させるとともに、該巻き掛け部における障子側端の下方に垂下する部分により脱出抑止部が形成されたものとし、上記巻き掛け部材を、上記支持用突部における係止縁に該巻き掛け部材の係止部を係止させることにより、該支持用突部に支持させたものとして構成される。
【００１０】
上述した本発明の実施形態においては、上記巻き掛け部材の脱出抑止部の下端と上記障子側の桟をガイドするガイド枠の桟ガイドとの間の寸法が、上記障子側の桟の高さ寸法よりも短く形成される。
【発明の効果】
【００１１】
以上に詳述した本発明の摺動式スクリーン装置によれば、摺動式スクリーン装置における障子側の桟（外桟）の折返しボックス内への脱出を抑止するための手段の簡素化と、その製造コスト及び組み付けコストの低廉化を図ることができ、また、前記既知の脱出抑止部材の装着の必要性をなくし、当該摺動式スクリーン装置の組み付けをユーザー自身が容易に行うことが可能になる。
【図面の簡単な説明】
【００１２】
【図１】本発明の第１実施例に係る摺動式スクリーン装置を窓用サッシに対して取付けた状態を示す側断面図である。
【図２】同平断面図である。
【図３】同実施例における折返しボックスの支持用突部に対して巻き掛け部材を取り付ける状態を示す部分拡大側断面図である。
【図４】同巻き掛け部材の取付状態を示す部分拡大側断面図である。
【図５】図３に示す巻き掛け部材の取付状態を説明する部分拡大斜視図である。
【図６】図４に示す巻き掛け部材の取付状態を説明する部分拡大斜視図である。
【図７】本発明の第２実施例に係る摺動式スクリーン装置を窓用サッシに対して取り付けた状態を示す側断面図である。
【図８】同実施例における折返しボックスの支持用突部に対して巻き掛け部材を取り付ける状態を示す部分拡大側断面図である。
【図９】同取付完了状態を示す部分拡大側断面図である。
【図１０】図９に示す巻き掛け部材の取付状態を説明する部分拡大斜視図である。
【図１１】同実施例における支持用突部の形状を示す部分拡大斜視図である。
【図１２】図８に示す巻き掛け部材の取付状態を説明する部分拡大斜視図である。
【図１３】従来の摺動式スクリーン装置を示す縦断面図である。
【発明を実施するための形態】
【００１３】
図１〜図６は、本発明に係る摺動式スクリーン装置の第１実施例を示している。この摺動式スクリーン装置は、防虫、遮光、断熱、目隠し、装飾等を目的として設置されるもので、概略的には、建物開口部枠１に取り付ける窓用サッシ２の障子４の装設位置よりも室内側の開口部に左右相対向して取付けられる一対のガイド枠１０と、該一対のガイド枠１０間の上部に設けられ、スクリーン７を巻き掛けて上記ガイド枠１０に沿う方向に折り返させる巻き掛け部材２０と、該巻き掛け部材２０を収容するためのスクリーン７の折返しボックス２１と、上記開口部に張設可能な長さを有する上記スクリーン７の摺動方向の両端にほぼ同形の外桟２２及び内桟２３がそれぞれ固定され、該桟２２，２３の各両端を上記ガイド枠１０にガイドさせるように組み付けられたスクリーンユニットとを備え、該スクリーン７の張設時には、巻き掛け部材２０に巻き掛けたスクリーン７の内桟２３が上記開口部の最下位に位置し（図１参照）、スクリーン７の非張設時には、ガイド枠１０の長さ方向の中央部付近において両桟２２，２３が会合するように形成されたものである。
【００１４】
窓用サッシ２の障子４の装設位置よりも室内側の開口部に左右相対向して取付けられる上記一対のガイド枠１０は、図２に示すように、該窓用サッシ２に取付金具１１を介して取り付けられるもので、スクリーン７の両端に設けた桟２２，２３の摺動を個別的にガイドする隣接配置された各２条の平行な溝状の桟ガイド１２，１３を備えている。上記開口部の左右に設ける一対のガイド枠１０は、互いに対称形状をなすものである。上記桟ガイド１３の各内底には、スリット１３ａを設けているが、これは、スクリーン７の両側縁に設けた柔軟で滑り性の高い係止部をその内側に係止させて、スクリーン７の両側縁が桟ガイド１３から離脱するのを防ぐものである。
【００１５】
上記折返しボックス２１は、図１、図３及び図４に示すように、その内部に上記スクリーン７の巻き掛け部材２０を収容するためのもので、前面のカバー２１ａを開放可能にした該折返しボックス２１の長手方向両端には、上記巻き掛け部材２０の支持用突部２４ａを設けた支持体２４を配設している。上記支持用突部２４ａは、略矩形状の断面を有するものとして突設されたものである。
【００１６】
一方、上記一対のガイド枠１０間の上部に配置される上記スクリーン７を巻き掛けるための巻き掛け部材２０は、図１及び図３〜図６に示しているように、略半円筒形のスクリーン７の巻き掛け部２０ａの下方に、上記支持用突部２４ａに嵌着する略コ字状の係着部２０ｂを設けることにより形成し、該係着部２０ｂの下面側に、上記内桟２３を降下させたときに外桟２２が折返しボックス２１内へ脱出するのを抑止する脱出抑止部２０ｃが形成されている。また、上記巻き掛け部材２０の係着部２０ｂと支持体２４における支持用突部２４ａとの互いに対向する面には、相互に弾性的に係合する突条２０ｄと凹条２４ｂとを設けて、それらの結合を安定化させている。
更に、該脱出抑止部２０ｃの下端と上記外桟２２をガイドするガイド枠１０の桟ガイド１２の上端との間の寸法Ｌは、上記外桟２２の高さ寸法Ｈよりも短くなるように形成されている（図４参照）。
【００１７】
そして、該巻き掛け部材２０は、図３及び図５に明確に示すように、上記折返しボックス２１の前面のカバー２１ａを開放した状態で、該ボックス２１の前面側から上記支持用突部２４ａに係着部２０ｂを係脱可能に形成し、それにより、該折返しボックス２１内に容易に係合支持させることができるように構成されている。
【００１８】
上記構成を有する摺動式スクリーン装置の組立に際しては、通常、先ず、上記開口部の左右のガイド枠１０における障子側の桟ガイド１２の上端から、スクリーン７の両端に外桟２２及び内桟２３を取り付けたスクリーンユニットにおける該外桟２２を嵌入してガイドさせ、次いで、図４に示すように、巻掛け部材２０をスクリーン７の下面側に位置させて上記支持体２４における支持用突部２４ａにその係着部２０ｂを装着し、そのうえで内桟２３をガイド枠１０の室内側の桟ガイド１３に嵌入させる。
【００１９】
上記構成を有する摺動式スクリーン装置によれば、上記外桟２２に、該外桟２２が折返しボックス２１内へ脱出するのを防止のための図１３の脱出抑止部材５０を別途に設ける必要がないので、該外桟２２の折返しボックス２１内への脱出を抑止するための手段の簡素化と、その製造コスト及び組み付けコストの低廉化を図ることができる。
また、上記脱出抑止部材の装着の必要性をなくすことができるので、当該摺動式スクリーン装置の組み付けをユーザー自身が容易に行うことができる。
【００２０】
図７〜図１２は、本発明に係る摺動式スクリーン装置の第２実施例を示している。この摺動式スクリーン装置は、概略的には、前記第１実施例と同様の構成としているが、開閉自在のカバー３１ａを有する折返しボックス３１内において、図８〜図１２に詳細に示すように、巻き掛け部材３０を支持する支持体３４に設けた支持用突部３５を、上記スクリーン７の巻き掛け部材３０の内側面に沿う半円筒部３５ａの障子側端に下方に垂下する部分３５ｂを有し、且つ両端に係止縁３５ｃ，３５ｄを設けたものとして形成し、一方、上記巻き掛け部材３０は、略半円筒形のスクリーン７の巻き掛け部３０ａにおける上記支持用突部３５の両端の係止縁３５ｃ，３５ｄに対応する部位に、該係止縁３５ｃ，３５ｄに係止する係止部３０ｃ，３０ｄを形成し、該巻き掛け部３０ａにおける障子４側端の下方に垂下する部分の下端により脱出抑止部３０ｂを形成している。
【００２１】
上記巻き掛け部材３０の支持用突部３５に対する装着は、図８及び図１２に示すような態様で、前面が開放した折返しボックス３１に巻き掛け部材３０をその脱出抑止部３０ｂ側から挿入し、折返しボックス３１の両端の支持用突部３５の半円筒部３５ａを越えたところで、図９及び図１０に示すように巻き掛け部材３０の姿勢を変え、支持用突部３５における係止縁３５ｃ，３５ｄに、該巻き掛け部材３０の係止部３０ｃ，３０ｄを係止させることによって、該支持用突部３５に支持させ、それによって、上記外桟２２が折返しボックス３１内へ脱出するのを抑止する位置に脱出抑止部３０ｂを形設するものである。
この場合に、該脱出抑止部３０ｂの下端と上記外桟２２をガイドするガイド枠１０の桟ガイド１２の上端との間の寸法Ｌは、第１実施例と同様に、上記外桟２２の高さ寸法Ｈよりも短くなるように形成されている（図９参照）。
【００２２】
上記構成を有する摺動式スクリーン装置によれば、上記巻き掛け部材３０の構造をより簡素化できるため、当該摺動式スクリーン装置をより安価に製造することができる。
なお、この第２実施例の摺動式スクリーン装置のその他の構成及び作用は、実質的に前記第１実施例の摺動式スクリーン装置と変わるところがないから、同一部分または相当部分に同一符号を付して、それらの説明を省略する。
【符号の説明】
【００２３】
１    建物開口部枠
２    窓用サッシ
７    スクリーン
１０    ガイド枠
１２，１３    桟ガイド
２０，３０    巻き掛け部材
２０ａ，３０ａ  巻き掛け部
２０ｂ    係着部
２０ｃ，３０ｂ  脱出抑止部
２１，３１    折返しボックス
２１ａ，３１ａ  カバー
２２，２３    桟
２４，３４    支持体
２４ａ，３５    支持用突部
３０ｃ，３０ｄ    係止部
３５ｃ，３５ｄ    係止縁
【図１】
2010203068.tif 000003
【図２】
2010203068.tif 000004
【図３】
2010203068.tif 000005
【図４】
2010203068.tif 000006
【図５】
2010203068.tif 000007
【図６】
2010203068.tif 000008
【図７】
2010203068.tif 000009
【図８】
2010203068.tif 000010
【図９】
2010203068.tif 000011
【図１０】
2010203068.tif 000012
【図１１】
2010203068.tif 000013
【図１２】
2010203068.tif 000014
【図１３】
2010203068.tif 000015